(57)【要約】【課題】栽培場所における植物のレイアウトを容易に決定することを課題とする。【解決手段】情報処理装置１０は、目印を含む栽培場所の画像を取得し、取得された栽培場所の画像に含まれる目印の大きさに基づいて、前記栽培場所の大きさを算出する。そして、情報処理装置１０は、栽培場所に栽培する植物の種類を受け付け、受け付けた植物の種類と算出された栽培場所の大きさとに基づいて、栽培場所における植え位置のデザインを決定し、決定された栽培場所における植え位置のデザインを出力する。【選択図】        図１
2014137775.tif 000002
【特許請求の範囲】
【請求項１】
情報処理装置で実行される栽培サポート方法であって、
栽培場所の画像を取得する取得ステップと、
前記栽培場所に栽培する植物の種類を受け付ける受付ステップと、
前記受付ステップによって受け付けた植物の種類に基づいて、前記栽培場所における植え位置のデザインを決定する決定ステップと、
前記決定ステップによって決定された栽培場所における植え位置のデザインを出力する出力ステップと、
を含んだことを特徴とする栽培サポート方法。
【請求項２】
前記取得ステップは、目印を含む栽培場所の画像を取得し、
前記取得ステップによって取得された栽培場所の画像に含まれる目印の大きさに基づいて、前記栽培場所の大きさを算出する算出ステップをさらに含み、
前記決定ステップは、前記受付ステップによって受け付けた植物の種類と、前記算出ステップによって算出された栽培場所の大きさとに基づいて、前記栽培場所における植え位置のデザインを決定することを特徴とする請求項１に記載の栽培サポート方法。
【請求項３】
前記栽培場所における植え位置のデザインは、前記栽培場所において植える種または苗の数と、種または苗の植える間隔とを含むことを特徴とする請求項１または２に記載の栽培サポート方法。
【請求項４】
前記出力ステップは、前記栽培場所の画像に対して、前記決定ステップによって決定された栽培場所における植え位置のデザインを重畳した画像を作成して表示することを特徴とする請求項１〜３のいずれか一つに記載の栽培サポート方法。
【請求項５】
前記出力ステップは、前記決定ステップによって決定された栽培場所における植え位置のデザインを栽培場所に投影することを特徴とする請求項１〜４のいずれか一つに記載の栽培サポート方法。
【請求項６】
前記決定ステップは、前記受付ステップによって受け付けた植物の種類の栽培時期が、現在の時期でない場合には、前記栽培場所における植え位置のデザインの決定を中止し、
前記受付ステップは、前記栽培場所に栽培する植物の種類を再度受け付けることを特徴とする請求項１〜５のいずれか一つに記載の栽培サポート方法。
【請求項７】
前記決定ステップは、前記受付ステップによって受け付けた植物の種類について、種または苗の植える深さが、栽培場所の深さよりも深い場合には、前記栽培場所における植え位置のデザインの決定を中止し、
前記受付ステップは、前記栽培場所に栽培する植物の種類を再度受け付けることを特徴とする請求項１〜６のいずれか一つに記載の栽培サポート方法。
【請求項８】
栽培場所の画像を取得する取得部と、
前記栽培場所に栽培する植物の種類を受け付ける受付部と、
前記受付部によって受け付けた植物の種類に基づいて、前記栽培場所における植え位置のデザインを決定する決定部と、
前記決定部によって決定された栽培場所における植え位置のデザインを出力する出力部と、
を備えることを特徴とする情報処理装置。
【発明の詳細な説明】
【技術分野】
【０００１】
本発明は、栽培サポート方法および情報処理装置に関する。
【背景技術】
【０００２】
従来、植物を栽培場所に栽培する際には、栽培者が、栽培場所における植物のレイアウトを決めて、栽培場所に植物の種や苗を植える作業を行っていた。例えば、栽培者が、畑やプランタに栽培する植物の種類から、植える種の数または苗の数や、植物の種や苗を植える位置を決めつつ、畑やプランタに植物の種や苗を植える作業を行っていた。
【先行技術文献】
【特許文献】
【０００３】
【特許文献１】特開２０００−３２２４３６号公報
【特許文献２】特開２０００−３２２４３５号公報
【発明の概要】
【発明が解決しようとする課題】
【０００４】
しかしながら、栽培する植物の種類から、植える種の数または苗の数や、植物の種や苗を植える位置を決めることが難しいため、栽培場所における植物のレイアウトを容易に決定することができないという課題があった。例えば、植物の種類に応じて、育った後の植物のサイズなどを考慮して、植える種の数または苗の数や植物の種や苗を植える位置を決める必要があるため、栽培場所における植物のレイアウトを容易に決めることができない。
【０００５】
なお、サイバー図鑑データベースを有する情報センタが設けられ、観察者があいまいなヒントから所望のデータを容易に検索する技術や、観察者が観察したものに関する情報を容易に図鑑情報センタに入力する技術も知られているが（例えば、特許文献１、２参照）、これらの技術には、栽培をサポートする仕組みが設けられていない。このため、サイバー図鑑データベースを利用した場合であっても、栽培場所における植物のレイアウトを容易に決めることができなかった。
【０００６】
そこで、この発明は、上述した従来技術の課題を解決するためになされたものであり、栽培場所における植物のレイアウトを容易に決定することを目的とする。
【課題を解決するための手段】
【０００７】
上述した課題を解決し、目的を達成するため、栽培サポート方法は、情報処理装置で実行される栽培サポート方法であって、栽培場所の画像を取得する取得ステップと、前記栽培場所に栽培する植物の種類を受け付ける受付ステップと、前記受付ステップによって受け付けた植物の種類に基づいて、前記栽培場所における植え位置のデザインを決定する決定ステップと、前記決定ステップによって決定された栽培場所における植え位置のデザインを出力する出力ステップと、を含んだことを特徴とする。
【０００８】
また、情報処理装置は、栽培場所の画像を取得する取得部と、前記栽培場所に栽培する植物の種類を受け付ける受付部と、前記受付部によって受け付けた植物の種類に基づいて、前記栽培場所における植え位置のデザインを決定する決定部と、前記決定部によって決定された栽培場所における植え位置のデザインを出力する出力部と、を備えることを特徴とする。
【発明の効果】
【０００９】
本願に開示する栽培サポート方法および情報処理装置は、栽培する植物の種類から栽培場所における植物のレイアウトを自動で決定し、栽培場所における植物のレイアウトを容易に決定することが可能である。
【図面の簡単な説明】
【００１０】
【図１】図１は、第一の実施の形態に係る情報処理装置の構成を示すブロック図である。
【図２】図２は、畑の静止画像の一例を示す図である。
【図３】図３は、栽培植物データの一例を示す図である。
【図４】図４は、植え位置デザイン画像の一例を示す図である。
【図５】図５は、栽培場所が畑の場合における栽培サポート処理を説明する図である。
【図６】図６は、栽培場所がプランタの場合における栽培サポート処理を説明する図である。
【図７】図７は、種まきを行う際において、植え位置デザインを表示する処理を説明する図である。
【図８】図８は、第一の実施の形態に係る情報処理装置の処理手順を説明するためのフローチャートである。
【図９】図９は、第一の実施の形態に係る情報処理装置の処理手順を説明するためのフローチャートである。
【図１０】図１０は、第二の実施の形態に係る情報処理装置の構成を示すブロック図である。
【図１１】図１１は、種まきを行う際において、植え位置デザインを投影する処理を説明する図である。
【図１２】図１２は、第二の実施の形態に係る情報処理装置の処理手順を説明するためのフローチャートである。
【図１３】図１３は、栽培サポートプログラムを実行するコンピュータを示す図である。
【発明を実施するための形態】
【００１１】
以下に添付図面を参照して、この発明に係る栽培サポート方法および情報処理装置の好適な実施形態を詳細に説明する。なお、この実施形態によりこの発明が限定されるものではない。
【００１２】
［第一の実施の形態］
まず、図１を用いて、第一の実施の形態に係る情報処理装置１０の概要について説明する。図１は、第一の実施の形態に係る情報処理装置１０の構成を示すブロック図である。図１に示すように、第一の実施の形態に係る情報処理装置１０は、入力部１１、表示部１２、通信制御部１３、撮影部１４、制御部１５および記憶部１６を有する。なお、ここで説明する構成はあくまで一例であり、他のさまざまな形態でも実施が可能である。
【００１３】
入力部１１は、栽培する植物の種類などを入力するものであり、マウスやキーボードなどを備えて構成される。また、表示部１２は、栽培場所における植え位置のデザインを表示するものであり、モニタ、若しくはディスプレイ、タッチパネルなどを備えて構成される。例えば、表示部１２は、図７に例示するように、撮影した栽培場所の画像に対して、栽培場所における植え位置のデザインを重畳した画像を表示する。
【００１４】
通信制御部１３は、周辺機器との間でやり取りする各種情報に関する通信を制御する。撮影部１４は、栽培場所の静止画や動画を撮影するものであり、カメラやビデオなどを備えて構成される。例えば、撮影部１４は、種や苗を植える際において、畑やプランタの静止画や動画を撮影する。なお、カメラやビデオが情報処理装置１０に内蔵されている場合に限定されるものではなく、カメラやビデオと情報処理装置１０とがケーブル等で接続されていてもよい。
【００１５】
記憶部１６は、制御部１５による各種処理に必要なデータおよびプログラムを格納するが、特に本発明に密接に関連するものとしては、画像記憶部１６ａ、栽培植物データ記憶部１６ｂおよび植え位置デザイン画像記憶部１６ｃを有する。なお、記憶部１６とは、ＲＡＭ（Random  Access  Memory）、ＲＯＭ（Read  Only  Memory）、フラッシュメモリ（flash  memory）などの半導体メモリ素子、または、ハードディスク、光ディスクなどの記憶装置である。
【００１６】
画像記憶部１６ａは、栽培場所の静止画像を記憶する。具体的には、画像記憶部１６ａは、後述する取得部１５ａによって取得された畑やプランタの静止画像を記憶する。また、例えば、図２に例示するように、画像記憶部１６ａは、畑の大きさを算出するための基準となる立方体の目印αと、畑の四隅に設置された畑の区間を示す目印βとを含む畑の静止画像を記憶する。図２は、畑の静止画像の一例を示す図である。
【００１７】
栽培植物データ記憶部１６ｂは、植物の種類ごとに、植物の栽培に関するデータを記憶する。例えば、栽培植物データ記憶部１６ｂは、図３に例示するように、植物の種類を一意に識別する「ＩＤ」と、植物の名称を示す「植物」と、植物を栽培するのに適した時期を示す「栽培時期」と、植物の種や苗を栽培場所に植えるのに適した深さを示す「深さ」と、植物の種や苗を植える「植え間隔」と、種や苗を植える範囲を示す円形の大きさを示す「円形範囲」と、円形内に植える種または苗の数を示す「種または苗の数」とを対応付けて記憶する。
【００１８】
図３の例を挙げて具体的に説明すると、栽培植物データ記憶部１６ｂは、ＩＤ「１」と、植物「キャベツ」と、栽培時期「２月、３月、７月、１０月」と、深さ「２０ｃｍ」と、植え間隔「４０ｃｍ間隔」と、円形範囲「半径３０ｃｍ」と、種または苗の数「３つ」とを対応付けて記憶する。なお、この円形範囲は、生長後の植物のサイズを考慮して決められた大きさである。
【００１９】
植え位置デザイン画像記憶部１６ｃは、栽培場所における植え位置のデザインの画像である植え位置デザイン画像を記憶する。具体的には、植え位置デザイン画像記憶部１６ｃは、後述する決定部１５ｄによって決定された植え位置のデザインの画像を記憶する。例えば、図４に例示するように、植え位置デザイン画像には、ユーザに選択された植物の種類に対応する種や苗の絵とともに、種や苗を植える範囲を示す円Ａと、種や苗を植える位置を示す黒点Ｂとが含まれる。図４は、植え位置デザイン画像の一例を示す図である。
【００２０】
制御部１５は、各種の処理手順などを規定したプログラムおよび所要データを格納するための内部メモリを有し、これらによって種々の処理を実行するが、特に本発明に密接に関連するものとしては、取得部１５ａ、算出部１５ｂ、受付部１５ｃ、決定部１５ｄおよび出力部１５ｅを有する。
【００２１】
取得部１５ａは、栽培場所の画像を取得する。具体的には、取得部１５ａは、目印を含む栽培場所の画像を取得する。例えば、取得部１５ａは、図２に例示するように、畑の大きさを算出するための基準となる立方体の目印αと、畑の四隅に設置された畑の区間を示す目印βとを含む畑の静止画像を取得し、画像記憶部１６ａに格納する。
【００２２】
算出部１５ｂは、取得部１５ａによって取得された栽培場所の画像に含まれる目印の大きさに基づいて、栽培場所の大きさを算出する。ここで、算出部１５ｂには、画像に含まれる目印の大きさが事前に設定されており、目印の大きさが予め分かっているものとする。
【００２３】
図２の例を用いて説明すると、例えば、算出部１５ｂは、畑の大きさを算出するための基準となる立方体の目印αの実サイズが事前に設定されている。そして、算出部１５ｂは、目印αの実サイズと畑の四隅に設置された畑の区間を示す目印β間長との比率から、畑の大きさとして、畑の縦横の長さを算出する。
【００２４】
また、プランタの大きさを算出する場合には、上記と同様の方法でプランタの縦横の長さを算出するとともに、プランタの深さを算出する。この場合には、事前に大きさが分かっている上下方向の目印の上下方向の長さとプランタの上下方向の長さとの比率から、プランタの深さを算出する。
【００２５】
受付部１５ｃは、栽培場所に栽培する植物の種類を受け付ける。例えば、受付部１５ｃは、表示部１２に栽培する植物の種類名を入力する旨の画面を表示し、ユーザに栽培する植物の種類の名称を入力することを促す。ここで、受付部１５ｃは、栽培する植物の種類名の入力を受け付けるだけでなく、例えば、検索キーワードなどを受け付け、検索キーワードに該当する植物を植物に関連する情報を記憶する植物データベース（図示せず）を用いて検索し、検索キーワードに該当する植物の種類名の一覧を表示し、一覧のなかからユーザに植物の種類名を一つ選ばせるようにしてもよい。
【００２６】
また、受付部１５ｃは、栽培する植物の栽培時期が、現在の時期でない場合には、栽培場所に栽培する植物の種類を再度受け付ける。具体的には、受付部１５ｃは、入力または選択された植物の種類の栽培時期が現在の時期でない場合には、表示部１２に栽培する植物の種類名を入力する旨の画面を再度表示し、ユーザに栽培する植物の種類の名称を入力することを再度促す。
【００２７】
また、受付部１５ｃは、栽培する植物の種または苗の植える深さが、栽培場所の深さよりも深い場合には、栽培場所に栽培する植物の種類を再度受け付ける。具体的には、受付部１５ｃは、栽培する植物の種または苗の植える深さが、栽培場所の深さよりも深い場合には、表示部１２に栽培する植物の種類名を入力する旨の画面を再度表示し、ユーザに栽培する植物の種類の名称を入力することを再度促す。なお、現在の時期については、情報処理装置内の時刻情報を利用する。
【００２８】
決定部１５ｄは、受付部１５ｃによって受け付けた植物の種類に基づいて、栽培場所における植え位置のデザインを決定する。具体的には、決定部１５ｄは、受付部１５ｃによって受け付けた植物と、算出部１５ｂによって算出された栽培場所の大きさとに基づいて、栽培場所における植え位置のデザインを決定する。また、決定部１５ｄは、栽培場所における植え位置のデザインとして、栽培場所において植える種または苗の数と、種または苗の植える間隔とを決定する。
【００２９】
ここで、決定部１５ｄによる植え位置のデザインの決定処理について図３および図４の具体例を挙げながら説明する。例えば、決定部１５ｄは、植え位置デザインとして、種や苗を植える範囲の大きさを決め、該範囲の大きさと栽培場所の大きさとを比較した場合に、種や苗を植える範囲をいくつ栽培場所に設けることができるかを決める。図３において例示した植物「キャベツ」を例に挙げて説明すると、種や苗を植える範囲である円形範囲が「半径３０ｃｍ」と記憶されているので、種や苗を植える範囲を「半径３０ｃｍ」の円形に決定し、栽培場所に半径３０ｃｍの円形をいくつ設けることができるか決定する。例えば、決定部１５ｄは、図４の例では、種や苗を植える範囲を示す円Ａを「４つ」デザインしている。なお、円Ａ同士の間隔は、予め決められていてもよいし、ユーザが指定することができるようにしてもよい。
【００３０】
続いて、決定部１５ｄは、上記決定した範囲内に植える種または苗の数と、種または苗同士の植える間隔を決定する。図３において例示した植物「キャベツ」を例に挙げて説明すると、種または苗の数が「３つ」となっており、また、植え間隔が「４０ｃｍ間隔」と記憶されている。このため、決定部１５ｄは、図４に例示するように、種や苗を植える範囲を示す各円Ａに種や苗を植える位置を示す黒点Ｂを４０ｃｍ間隔で３つずつデザインする。
【００３１】
このように、決定部１５ｄは、栽培植物データ記憶部１６ｂを参照しつつ、栽培場所における植え位置のデザインを決定し、図４に例示するような植え位置デザイン画像を作成して、植え位置デザイン画像記憶部１６ｃに植え位置デザイン画像を格納する。
【００３２】
また、決定部１５ｄは、受付部１５ｃによって受け付けた植物の種類の栽培時期が、現在の時期でない場合には、栽培場所における植え位置のデザインの決定を中止する。具体的には、決定部１５ｄは、受付部１５ｃによって受け付けた植物の種類の栽培時期が、現在の時期であるか否かを判定する。例えば、図３に例示する「キャベツ」の例を用いて説明すると、栽培時期が「２月、３月、７月、１０月」であるため、現在の月が２月、３月、７月、１０月のいずれかであるか否かを判定する。
【００３３】
この結果、決定部１５ｄは、受付部１５ｃによって受け付けた植物の種類の栽培時期が、現在の時期であると判定した場合には、栽培場所における植え位置のデザインを決定する。また、決定部１５ｄは、受付部１５ｃによって受け付けた植物の種類の栽培時期が、現在の時期でないと判定した場合には、栽培場所における植え位置のデザインの決定を中止する。
【００３４】
また、決定部１５ｄは、受付部１５ｃによって受け付けた植物の種類について、種または苗の植える深さが、栽培場所の深さよりも深い場合には、栽培場所における植え位置のデザインの決定を中止する。具体的には、決定部１５ｄは、種または苗の植える深さが、栽培場所の深さよりも深いか否かを判定する。例えば、図３に例示する「キャベツ」の例を用いて説明すると、深さが「２０ｃｍ」であるため、栽培場所の深さが２０ｃｍ以上であるか否かを判定する。
【００３５】
この結果、決定部１５ｄは、種または苗の植える深さが、栽培場所の深さよりも深いと判定した場合には、栽培場所における植え位置のデザインを決定する。また、決定部１５ｄは、種または苗の植える深さが、栽培場所の深さよりも深くないと判定した場合には、栽培場所における植え位置のデザインの決定を中止する。なお、この深さを判定する処理は、栽培場所がプランタなどの深さに制限がある場所である場合であって、かつ、深さを算出した場合にのみ行う処理である。このため、例えば、栽培場所が畑である場合や、深さを算出できない場所である場合には、この判定処理を行わずに、栽培場所における植え位置のデザインを決定する。
【００３６】
出力部１５ｅは、決定部１５ｄによって決定された栽培場所における植え位置のデザインを出力する。具体的には、出力部１５ｅは、決定部１５ｄによって決定された種または苗の数と、種または苗の植える間隔とを表示する。例えば、出力部１５ｅは、撮影部１４によって撮影された栽培場所の画像に対して、決定部１５ｄによって決定された栽培場所における植え位置のデザインを重畳した画像を作成して表示する。
【００３７】
つまり、出力部１５ｅが、撮影部１４によって撮影された栽培場所の画像に対して、決定部１５ｄによって決定された栽培場所における植え位置のデザインを重畳した画像をモニタ等に表示することで、栽培者は、栽培場所のどの位置に種または苗を植えるべきかをモニタで確認しながら、種まきまたは苗植えを行うことができる。このため、栽培する植物の種類から栽培場所における植物のレイアウトを自動で決定することで、栽培場所における植物のレイアウトを容易に決定することができ、さらに、植物のレイアウトに従って簡単に種まきまたは苗植えを行うことができる。
【００３８】
ここで、図５および図６を用いて、栽培場所が畑である場合とプランタである場合それぞれについて、植物の栽培をサポートする一連の処理を説明する。図５は、栽培場所が畑の場合における栽培サポート処理を説明する図である。図６は、栽培場所がプランタの場合における栽培サポート処理を説明する図である。
【００３９】
まず、図５を用いて、栽培場所が畑である場合の栽培サポート処理について説明する。図５に示すように、ユーザによって栽培する植物の種類が決められ、情報処理装置１０は、植物の種類の入力を受け付ける。図５の例では、該植物の種類に対応する種をまくものとする（図５の（１）参照）。
【００４０】
そして、ユーザにより植物の種類が決められた後、情報処理装置１０は、畑における栽培数や植え位置のデザインを決定する（図５の（２）参照）。具体的には、情報処理装置１０は、畑における植え位置のデザインとして、畑にまく種の数と、種をまく間隔とを決定する。図５の例では、情報処理装置１０は、植え位置のデザインとして、種をまく範囲を示す円Ａと、種をまく位置を示す黒点Ｂとをデザインする。
【００４１】
そして、栽培者が、畑に種をまく（図５の（３）参照）。ここで、図７に示すように、情報処理装置１０は、撮影部１４によって撮影された畑の画像に対して、決定部１５ｄによって決定された畑における植え位置のデザインを重畳した画像をモニタ等に表示する。そして、栽培者は、畑のどの位置に種をまくべきかをモニタで確認しながら、デザインされている植え位置に手を動かし、指定数の種をまく。なお、撮影された畑の画像と植え位置のデザインとの位置合わせは、目印βを基準に行われる。図７は、種まきを行う際において、植え位置デザインを表示する処理を説明する図である。
【００４２】
次に、図６を用いて、栽培場所がプランタである場合について説明する。図６に示すように、ユーザによって栽培する植物の種類が決められ、情報処理装置１０は、植物の種類の入力を受け付ける。図６の例では、該植物の種類に対応する苗を植えるものとする（図６の（１）参照）。
【００４３】
そして、ユーザにより植物の種類が決められた後、情報処理装置１０は、プランタにおける栽培数や植え位置のデザインを決定する（図６の（２）参照）。具体的には、情報処理装置１０は、プランタにおける植え位置のデザインとして、プランタにおいて植える苗の数と、苗を植える間隔とを決定する。図６の例では、情報処理装置１０は、植え位置のデザインとして、苗を植える位置を示す黒点Ｃをデザインする。
【００４４】
そして、栽培者が、プランタに苗を植える（図６の（３）参照）。栽培者は、上記同様に、プランタのどの位置に苗を植えるべきかをモニタで確認しながら、デザインされている植え位置に手を動かし、指定数の苗を植える。
【００４５】
［情報処理装置による処理］
次に、図８および図９を用いて、第一の実施の形態に係る情報処理装置１０による処理を説明する。図８および図９は、第一の実施の形態に係る情報処理装置１０の処理手順を説明するためのフローチャートである。
【００４６】
まず、図８を参照して、実際に栽培を行う前に、植え位置のデザインを決定する処理について主に説明する。なお、図８では、情報処理装置１０の取得部１５ａによって栽培場所の静止画像が既に取得され、画像記憶部１６ａに事前に記憶されているものとして処理を説明する。
【００４７】
図８に示すように、情報処理装置１０の受付部１５ｃは、静止画像一覧を表示する旨の指示である静止画像一覧表示指示を受け付けると（ステップＳ１０１肯定）、画像記憶部１６ａに記憶された栽培場所の静止画像を読み出して静止画像一覧を表示する（ステップＳ１０２）。
【００４８】
そして、受付部１５ｃは、表示した静止画像一覧のうち一の静止画像を指示する静止画像選択指示をユーザから受け付けると（ステップＳ１０３）、選択された栽培場所の静止画像を表示する（ステップＳ１０４）。
【００４９】
続いて、受付部１５ｃは、栽培場所に栽培する植物の指定を受け付ける（ステップＳ１０５）。例えば、受付部１５ｃは、表示部１２に栽培する植物の種類名を入力する旨の画面を表示し、ユーザに栽培する植物の種類の名称を入力することを促す。そして、受付部１５ｃは、栽培する植物の指定を受け付けると、栽培植物の画像例を表示する（ステップＳ１０６）。このように、栽培植物の画像例を表示することで、ユーザに対して指定した植物に間違いがないかを確認させる。
【００５０】
そして、決定部１５ｄは、受付部１５ｃによって受け付けた植物に対応する栽培時期が、現在の時期であるか否かを判定する（ステップＳ１０７）。この結果、決定部１５ｄは、受付部１５ｃによって受け付けた植物に対応する栽培時期が、現在の時期である場合には、ステップＳ１０８に進む。また、決定部１５ｄは、受付部１５ｃによって受け付けた植物に対応する栽培時期が、現在の時期でないと判定した場合には（ステップＳ１０７否定）、栽培場所における植え位置のデザインの決定を中止し、ステップＳ１０５に戻る。
【００５１】
ステップＳ１０８において、決定部１５ｄは、種または苗の植える深さが、栽培場所の深さよりも深いか否かを判定する。この結果、決定部１５ｄは、受付部１５ｃによって受け付けた植物について、種または苗の植える深さよりも栽培場所の深さが深くない場合には（ステップＳ１０８否定）、栽培場所における植え位置のデザインの決定を中止し、ステップＳ１０５に戻る。
【００５２】
また、決定部１５ｄは、受付部１５ｃによって受け付けた植物について、種または苗の植える深さよりも栽培場所の深さが深い場合には（ステップＳ１０８肯定）、植え位置のデザインを決定する（ステップＳ１０９）。
【００５３】
そして、決定部１５ｄは、植え位置デザイン画像を植え位置デザイン画像記憶部１６ｃに保存する（ステップＳ１１０）。その後、決定部１５ｄは、植え位置のデザインを表示し（ステップＳ１１１）、処理を終了する。
【００５４】
次に、図９を参照して、上記した図８の植え位置のデザインを決定した後において、栽培をサポートする処理を主に説明する。なお、図９では、植え位置デザイン画像記憶部１６ｃに植え位置デザイン画像が記憶されているものとして処理を説明する。
【００５５】
図９に示すように、情報処理装置１０の出力部１５ｅは、栽培場所のビデオ撮影を開始しているか判定し（ステップＳ２０１）、ビデオ撮影を開始していると判定した場合には（ステップＳ２０１肯定）、植え位置デザイン画像記憶部１６ｃに記憶された植え位置デザイン画像のなかから植え位置デザインの選択を指示する植え位置デザイン選択指示を受け付ける（ステップＳ２０２）。
【００５６】
そして、情報処理装置１０の出力部１５ｅは、ビデオ画像に植え位置デザインを重畳した画像を作成して表示する（ステップＳ２０３）。つまり、出力部１５ｅが、撮影部１４によって撮影された栽培場所の画像に対して、決定部１５ｄによって決定された栽培場所における植え位置のデザインを重畳した画像をモニタ等に表示することで、栽培者は、栽培場所のどの位置に種または苗を植えるべきかをモニタで確認しながら、種まきまたは苗植えを行うことができる。このため、栽培する植物の種類から栽培場所における植物のレイアウトを自動で決定することで、栽培場所における植物のレイアウトを容易に決定することができ、さらに、植物のレイアウトに従って簡単に種まきまたは苗植えを行うことができる。
【００５７】
[第一の実施の形態の効果]
上述してきたように、第一の実施の形態に係る情報処理装置１０は、栽培場所の画像を取得し、栽培場所に栽培する植物の種類を受け付け、受け付けた植物の種類に基づいて、栽培場所における植え位置のデザインを決定し、決定された栽培場所における植え位置のデザインを出力する。このため、栽培する植物の種類から栽培場所における植物のレイアウトを自動で決定し、栽培場所における植物のレイアウトを容易に決定することが可能である。
【００５８】
また、第一の実施の形態に係る情報処理装置１０によれば、目印を含む栽培場所の画像を取得し、取得された栽培場所の画像に含まれる目印の大きさに基づいて、栽培場所の大きさを算出し、受け付けた植物の種類と、算出された栽培場所の大きさとに基づいて、栽培場所における植え位置のデザインを決定する。このため、情報処理装置１０では、栽培場所の大きさを自動的に算出し、栽培場所に適した植え位置のデザインを決定することが可能である。
【００５９】
また、第一の実施の形態に係る情報処理装置１０によれば、栽培場所における植え位置のデザインは、前記栽培場所において植える種または苗の数と、種または苗の植える間隔とを含む。このため、情報処理装置１０では、栽培する植物の種類から栽培場所における植物の詳細なレイアウトを自動で決定することが可能である。
【００６０】
また、第一の実施の形態に係る情報処理装置１０によれば、栽培場所の画像に対して、決定された栽培場所における植え位置のデザインを重畳した画像を作成して表示する。このため、情報処理装置１０では、栽培する植物の種類から栽培場所における植物のレイアウトを自動で決定することで、栽培場所における植物のレイアウトを容易に決定することができ、さらに、植物のレイアウトに従って簡単に種まきまたは苗植えを行うことが可能である。
【００６１】
また、第一の実施の形態に係る情報処理装置１０によれば、受け付けた植物の種類の栽培時期が、現在の時期でない場合には、栽培場所における植え位置のデザインの決定を中止し、栽培場所に栽培する植物の種類を再度受け付ける。このため、情報処理装置１０では、栽培を行おうとしている植物が現在栽培に適した時期であるか否かをユーザに教えることが可能である。
【００６２】
また、第一の実施の形態に係る情報処理装置１０によれば、受け付けた植物の種類について、種または苗の植える深さが、栽培場所の深さよりも深い場合には、栽培場所における植え位置のデザインの決定を中止し、栽培場所に栽培する植物の種類を再度受け付ける。このため、情報処理装置１０では、栽培を行おうとしている植物について、栽培に適した深さが栽培場所にあるか否かをユーザに教えることが可能である。
【００６３】
［第二の実施の形態］
ところで、上記の第一の実施の形態では、ビデオ画像に植え位置デザインを重畳した画像を作成して表示することで、栽培をサポートする場合を説明したが、これに限定されるものではなく、例えば、植え位置デザインを直接栽培場所に投影することで、栽培をサポートするようにしてもよい。そこで、以下で説明する第二の実施形態では、植え位置デザインを直接栽培場所に投影することで、栽培をサポートする場合について説明する。
【００６４】
まず、図１０を用いて、第二の実施の形態に係る情報処理装置１０Ａの構成について説明する。図１０は、第二の実施の形態に係る情報処理装置１０Ａの構成を示すブロック図である。なお、第一の実施の形態に係る情報処理装置１０と同様の構成については、説明を省略する。
【００６５】
図１０に示すように、第二の実施の形態に係る情報処理装置１０Ａは、第一の実施の形態に係る情報処理装置１０と比較して、投影部１７をさらに有する。投影部１７は、栽培場所に植え位置デザインを投影するものであり、プロジェクタなどを備えて構成される。例えば、投影部１７は、種や苗を植える際において、植え位置デザイン画像記憶部１６ｃに記憶された植え位置デザインを栽培場所に投影する。なお、プロジェクタが情報処理装置１０Ａに内蔵されている場合に限定されるものではなく、プロジェクタと情報処理装置１０Ａとがケーブル等で接続されていてもよい。
【００６６】
また、第二の実施の形態に係る情報処理装置１０Ａの出力部１５ｅは、決定部１５ｄによって決定された栽培場所における植え位置のデザインを栽培場所に投影する。具体的には、出力部１５ｅは、決定部１５ｄによって決定された種または苗の数と、種または苗の植える間隔とを栽培場所に投影する。
【００６７】
つまり、出力部１５ｅが、決定部１５ｄによって決定された栽培場所における植え位置のデザインを栽培場所に投影することで、栽培者は、栽培場所のどの位置に種または苗を植えるべきかを投影された画像を見ながら、種まきまたは苗植えを行うことができる。このため、投影された植え位置のデザインに従って簡単に種まきまたは苗植えを行うことができる。
【００６８】
つまり、図１１に示すように、情報処理装置１０Ａは、決定部１５ｄによって決定された栽培場所における植え位置のデザインを栽培場所に投影することで、栽培者は、栽培場所のどの位置に種または苗を植えるべきかを投影された画像を見て、実際にどのような光景になるのかをイメージしながら種まきまたは苗植えを行うことができる。このため、投影された植え位置のデザインに従って簡単に種まきまたは苗植えを行うことができる。図１１は、種まきを行う際において、植え位置デザインを投影する処理を説明する図である。
【００６９】
次に、図１２を参照して、植え位置のデザインを決定した後において、栽培をサポートする処理の流れを説明する。図１２は、第二の実施の形態に係る情報処理装置の処理手順を説明するためのフローチャートである。なお、図１２では、植え位置デザイン画像記憶部１６ｃに植え位置デザイン画像が記憶されているものとして処理を説明する。
【００７０】
図１２に示すように、情報処理装置１０Ａの出力部１５ｅは、植え位置デザイン画像記憶部１６ｃに記憶された植え位置デザイン画像のなかから植え位置デザインの選択を指示する植え位置デザイン選択指示を受け付けたか判定する（ステップＳ３０１）。この結果、情報処理装置１０Ａの出力部１５ｅは、植え位置デザイン選択指示を受け付けたと判定すると（ステップＳ３０１肯定）、栽培場所における植え位置のデザインを栽培場所に投影する（ステップＳ３０２）。
【００７１】
[第二の実施の形態の効果]
上述してきたように、第一の実施の形態に係る情報処理装置１０Ａは、決定された栽培場所における植え位置のデザインを栽培場所に投影するので、栽培者が、栽培場所のどの位置に種または苗を植えるべきかを投影された画像を見て、実際にどのような光景になるのかをイメージしながら種まきまたは苗植えを行うことができる。
【００７２】
［第三の実施の形態］
さて、これまで本発明の実施の形態について説明したが、本発明は上述した第一の実施の形態、第二の実施の形態以外にも、種々の異なる形態にて実施されてよいものである。そこで、以下では第三の実施の形態として本発明に含まれる他の実施の形態を説明する。
【００７３】
（１）栽培場所の大きさ
上記の第一の実施の形態では、栽培場所の大きさを算出する場合を説明したが、本発明はこれに限定されるものではなく、例えば、栽培場所を栽培者が測定して情報処理装置に入力するようにしてもよい。
【００７４】
（２）システム構成
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【００７５】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００７６】
（３）プログラム
また、上記実施形態において説明した情報処理装置１０が実行する処理をコンピュータが実行可能な言語で記述したプログラムを作成することもできる。例えば、第一の実施形態に係る情報処理装置１０が実行する処理をコンピュータが実行可能な言語で記述した栽培サポートプログラムを作成することもできる。この場合、コンピュータが栽培サポートプログラムを実行することにより、上記実施形態と同様の効果を得ることができる。さらに、かかる栽培サポートプログラムをコンピュータ読み取り可能な記録媒体に記録して、この記録媒体に記録され栽培サポートプログラムをコンピュータに読み込ませて実行することにより上記実施形態１と同様の処理を実現してもよい。以下に、図１に示した情報処理装置１０と同様の機能を実現する栽培サポートプログラムを実行するコンピュータの一例を説明する。
【００７７】
図１３は、栽培サポートプログラムを実行するコンピュータ１０００を示す図である。図１３に例示するように、コンピュータ１０００は、例えば、メモリ１０１０と、ＣＰＵ１０２０と、ハードディスクドライブインタフェース１０３０と、ディスクドライブインタフェース１０４０と、シリアルポートインタフェース１０５０と、ビデオアダプタ１０６０と、ネットワークインタフェース１０７０とを有し、これらの各部はバス１０８０によって接続される。
【００７８】
メモリ１０１０は、図１３に例示するように、ＲＯＭ（Read  Only  Memory）１０１１及びＲＡＭ１０１２を含む。ＲＯＭ１０１１は、例えば、ＢＩＯＳ（Basic  Input  Output  System）等のブートプログラムを記憶する。ハードディスクドライブインタフェース１０３０は、図１３に例示するように、ハードディスクドライブ１０３１に接続される。ディスクドライブインタフェース１０４０は、図１３に例示するように、ディスクドライブ１０４１に接続される。例えば磁気ディスクや光ディスク等の着脱可能な記憶媒体が、ディスクドライブに挿入される。シリアルポートインタフェース１０５０は、図１３に例示するように、例えばマウス１０５１、キーボード１０５２に接続される。ビデオアダプタ１０６０は、図１３に例示するように、例えばディスプレイ１０６１に接続される。
【００７９】
ここで、図１３に例示するように、ハードディスクドライブ１０３１は、例えば、ＯＳ１０９１、アプリケーションプログラム１０９２、プログラムモジュール１０９３、プログラムデータ１０９４を記憶する。すなわち、上記の栽培サポートプログラムは、コンピュータ１０００によって実行される指令が記述されたプログラムモジュールとして、例えばハードディスクドライブ１０３１に記憶される。
【００８０】
また、上記実施形態で説明した各種データは、プログラムデータとして、例えばメモリ１０１０やハードディスクドライブ１０３１に記憶される。そして、ＣＰＵ１０２０が、メモリ１０１０やハードディスクドライブ１０３１に記憶されたプログラムモジュール１０９３やプログラムデータ１０９４を必要に応じてＲＡＭ１０１２に読み出し、各種手順を実行する。
【００８１】
なお、栽培サポートプログラムに係るプログラムモジュール１０９３やプログラムデータ１０９４は、ハードディスクドライブ１０３１に記憶される場合に限られず、例えば着脱可能な記憶媒体に記憶され、ディスクドライブ等を介してＣＰＵ１０２０によって読み出されてもよい。あるいは、栽培サポートプログラムに係るプログラムモジュール１０９３やプログラムデータ１０９４は、ネットワーク（ＬＡＮ（Local  Area  Network）、ＷＡＮ（Wide  Area  Network）等）を介して接続された他のコンピュータに記憶され、ネットワークインタフェース１０７０を介してＣＰＵ１０２０によって読み出されてもよい。
【符号の説明】
【００８２】
１０  情報処理装置
１１  入力部
１２  表示部
１３  通信制御部
１４  撮影部
１５  制御部
１５ａ  取得部
１５ｂ  算出部
１５ｃ  受付部
１５ｄ  決定部
１５ｅ  出力部
１６  記憶部
１６ａ  画像記憶部
１６ｂ  栽培植物データ記憶部
１６ｃ  植え位置デザイン画像記憶部
１７  投影部
【図１】
2014137775.tif 000003
【図２】
2014137775.tif 000004
【図３】
2014137775.tif 000005
【図４】
2014137775.tif 000006
【図５】
2014137775.tif 000007
【図６】
2014137775.tif 000008
【図７】
2014137775.tif 000009
【図８】
2014137775.tif 000010
【図９】
2014137775.tif 000011
【図１０】
2014137775.tif 000012
【図１１】
2014137775.tif 000013
【図１２】
2014137775.tif 000014
【図１３】
2014137775.tif 000015